(57)【特許請求の範囲】
【請求項１】
室内に複数台配設されたベッド間に設置され、ベッド間を仕切る方向に立設する仕切壁を備える間仕切家具において、仕切壁内部に照明装置を備え、該照明装置が発する光をベッド空間に照射する投光部を仕切壁のベッド側の一方側のみに備えて成り、仕切壁は、投光部の前面を覆う開閉自在な覆い体と、該覆い体の開閉操作に合わせて、照明装置の点灯、消灯を行なうスイッチを備えて成ることを特徴とする間仕切家具。
【請求項２】
照明装置の光源を、仕切壁内部で投光部の投光口の外縁より外側に配設する請求項１に記載の間仕切家具。
【発明の詳細な説明】
【技術分野】
【０００１】
本発明は、病室の大部屋や介護・養護施設の多床室のベッド間に設置する間仕切家具に関する。
【背景技術】
【０００２】
病室などの大部屋に収容された患者のプライバシー空間を形成するため、大部屋に複数配置されたベッドの間に、間仕切家具を設置する方法が知られている。  
【０００３】
通常、大部屋は、平面視略四角形を成した部屋であって、部屋の一壁面が、病院内の廊下側に面して形成され、該壁面の略中央に引戸式出入口扉が設けられ、該壁面の対向側の壁面に窓が設置される。
【０００４】
そして、この部屋は、出入口扉から窓側に向って設定された通路により二分され、二分された病室の一方の廊下側に、廊下側壁面と平行にベッドが配置され、窓側に、窓側壁面と平行にベッドが配置され、通路を挟む対向側にも、同様な方向でベッドが配置され、合計で４台のベッドが配置され４床室とされる。
【０００５】
そして、窓側に配置されたベッドと廊下側に配置されたベッドとの間に、ベッドと平行に間仕切家具が設置され、各々のベッド空間のプライバシーが確保されている。
【０００６】
このような、ベッド間に設置される間仕切家具は、一般的に、仕切壁部と収納体そしてテーブル用天板を備えており、仕切壁部には、半透明の採光板が嵌め込まれている。
【０００７】
採光板は、一方（間仕切家具が設置された病室の明るい方のベッド空間、例えば窓側のベッド空間）側からの光を他方（間仕切家具が設置された病室の暗い方のベッド空間、例えば廊下側のベッド空間）側に透過させるとともに、プライバシーが保たれるよう、半透明の素材ものが採用されることが多い。（例えば、特許文献１参照。）
【先行技術文献】
【特許文献】
【０００８】
【特許文献１】特開２００５−２１８７０１号公報
【発明の概要】
【発明が解決しようとする課題】
【０００９】
しかしながら、このような採光板は一方側からの光を他方側に透過させるだけのものであるから、一方側と他方側の採光板は、通常一枚の採光板で共用される。
【００１０】
したがって、このような採光板を有する間仕切家具がベッド間に設置された場合、窓側（明るい側）のベッド空間は、窓からの採光に加え、室内の天井に備えた照明器具からの明かりが、直接的に取り入れられるが、廊下側（暗い側）のベッド空間の壁面には窓を備えていないため、室内の天井に備えた照明器具からの直接的な明かりと、間仕切家具の採光板を透過した窓側（明るい側）のベッド空間からの採光のみで、窓側（明るい側）のベッド空間と廊下側（暗い側）のベッド空間における採光環境に大きな違いが発生していた。
【００１１】
そのため、廊下側のベッド空間を明るくするため採光板の面積を大きく取ると、採光板越しに他方側の人影が見えやすくなり、プライバシー空間が保たれず落ち着きに欠けるといった問題も発生する。
【００１２】
本発明は、このような問題点に鑑み、間仕切家具が設置されていても、間仕切りとしての機能を十分に有しながら、両側のベッド空間の明るさに極端な差を生じさせない使い勝手に優れた間仕切家具を提供することを課題とする。
【課題を解決するための手段】
【００１３】
そこで、上記課題を解決する為、本発明が第１の手段として構成したところは、室内に複数台配設されたベッド間に設置され、ベッド間を仕切る方向に立設する仕切壁を備える間仕切家具において、仕切壁内部に照明装置を備え、該照明装置が発する光をベッド空間に照射する投光部を仕切壁のベッド側の一方側のみに備えて成り、仕切壁は、投光部の前面を覆う開閉自在な覆い体と、該覆い体の開閉操作に合わせて、照明装置の点灯、消灯を行なうスイッチを備えて成るものである。
【００１４】
次に、上記課題を解決する為、本発明が第２の手段として構成したところは、第１の手段に加え、照明装置の光源を、仕切壁内部で投光部の投光口の外縁より外側に配設するものである。
【発明の効果】
【００１６】
第１の手段としての構成によると、投光部を仕切壁の一方側のみに設置し、照明装置の光が投光部からベッド空間に照射されるようにしたものであるので、投光部を、窓を備えていない廊下側のベッド空間側に、他方側を、窓側のベッド空間側に面するように設置することによって、廊下側のベッド空間の明るさを確保しつつ、窓側のベッド空間の明るさを抑え、廊下側のベッド空間と窓側のベッド空間の採光環境の大きな違いを緩和することができることに加え、窓側の患者が窓に設置されたカーテン、ブラインドや雨戸を閉める動作と同じように、患者が覆い体を閉めることによって自動で照明装置の光が消すことができるので、覆い体は遮光性にこだわる必要がなく、薄い布状の安価なものを使用できるばかりでなく、レースのカーテンや障子といった透過性のあるものを使用できるのでデザインの自由度が増し、より自然な形で窓際にいる雰囲気を醸し出すことができる。
【００１７】
第２の手段としての構成によると、第１の手段としての構成による効果に加え、投光部に照明装置の光源が映らないから、投光部から照射される光は、直接光ではなく間接光にでき、直接光に比べ眩しさを抑え、自然な光とすることができる。
【図面の簡単な説明】
【００１９】
【図１】本発明の間仕切家具の使用例を示す斜視図。
【図２】本発明の間仕切家具の斜視図。
【図３】本発明の間仕切家具の正面図。
【図４】本発明の間仕切家具の背面図。
【図５】図３のＡ−Ａ線断面図。
【図６】図３のＢ−Ｂ線断面図。
【図７】図３のＣ−Ｃ線断面図。
【図８】配線の接続状態を示す要部拡大斜視図。
【図９】図５のＡ部拡大図。
【図１０】クロースが開いている状態を示す覆い体の概略的正面断面図。
【図１１】クロースが閉じている状態を示す覆い体の概略的正面断面図。
【発明を実施するための形態】
【００２０】
本発明は、ベッド間を仕切る方向、すなわちベッドの長尺方向と平行な方向を左右方向とし、天板と、該天板の左右両端部にそれぞれ配置された板状の脚体と、天板上に立設される仕切壁を備え、仕切壁は、天板上方を前後方向で仕切り、正面板と背面板と縦枠と上枠とから内部に空洞部を有し、正面板に投光部を備え、空洞部に照明装置を備えるとともに、照明装置の光源を投光部の投光口の外縁より外側の空洞部に配設し、照明装置の光を投光部から照射するように構成され、さらに、空洞部に照明装置の光源の光を受け投光口側に反射させる反射板を備えた、間仕切家具である。
【００２１】
以下、実施例を添付図面に基づいて詳述する。
【００２２】
本発明に係る間仕切家具１は、図１に示すように、病室の大部屋や介護・養護施設の多床室のベッドの間に設置し、患者のプライバシー空間を形成するものである。
【実施例１】
【００２３】
第１実施例の間仕切家具１は、廊下側壁面（図示せず。）と建屋外を臨む窓Ｓ側壁面と、廊下側壁面と窓Ｓ側壁面の端部をつなぐ壁面Ｗで形成された病室で使用されるものであって、壁面Ｗ側を枕元側にして、廊下側壁面に平行に設置されるベッドＢ１と、窓Ｓ側壁面に平行に設置されるベッドＢ２との間に、ベッドの長尺方向と平行に配設されるものである。
【００２４】
間仕切家具１は、ベッド間を仕切る方向、すなわちベッドＢ１、Ｂ２の長尺方向を左右方向とし、左右方向に延びる所定高さに位置する天板１０と、該天板１０の左右両端部のそれぞれに取付けられる板状の脚体１１、１１と、天板１０の上方に形成され天板１０を前後に仕切る仕切体１２と、天板１０の下方に形成され天板を前後に仕切る区画体１３を備えている。
【００２５】
仕切体１２は、天板１０の前後方向略中央部上に立設される仕切壁１２１と、仕切壁１２１の左右方向のやや壁面Ｗ側で上方に位置する前後一対の上部収納装置１２２、１２２を備えており、該上部収納装置１２２、１２２の下面と天板１０の上面との間にはテレビが設置できる程度の空間が設けられている。
【００２６】
上部収納装置１２２は、上板１２２ａと左右の側板１２２ｂ、１２２ｂと底板１２２ｃと背板１２２ｄにより前面側が開口状態の筐体であって、該前面側が開き戸式扉１２２ｅ、１２２ｅで閉塞されている。
【００２７】
区画体１３は、天板１０の前後方向略中央部の下方に設けられる区画壁１３１と前後一対の下部収納装置１３２、１３２を備えている。
【００２８】
下部収納装置１３２は、上板１３２ａと左右の側板１３２ｂ、１３２ｂと底板１３２ｃと背板１３３ｄにより前面側が開口状態の筐体であって、該前面側が開き戸式扉１３２ｅ、１３２ｅで閉塞されている。
【００２９】
上部収納装置１２２と下部収納装置１３２の前面の開口部は、引き戸式扉や、開き戸式扉、シャッター式扉などの閉塞手段で閉塞してもよく、閉塞手段を用いずオープン型の収納としてもよい（図示せず）。
そして、間仕切家具1のベッドの足元側となる端部には、間仕切家具1と略同じ高さの仕切パネル１０２が、仕切壁１２１、区画壁１３１と直行するように取付けられ、足元側からの視線を遮っている  
【００３０】
下部収納装置１３２でベッドの足元側とベッドの枕元側とに区切られた区画壁１３１のうち、ベッドの足元側の所定場所には、半透明の樹脂製の採光板１３１ａが嵌め込まれ、採光性が保たれているが、採光板１３１ａは病室のレイアウトや照明器具の配置に応じて、半透明、不透明を使い分けてよい。
【００３１】
次に、天板１０は、ベッドの足元側の天板１０ａと、上部収納装置１２２の下部側の天板１０ｂと、ベッドの枕元側、すなわち室内の壁面Ｗ側の天板１０ｃに分けられ、足元側の天板１０ａは、該足元側ｎ天板１０ａの下方部にチェア１００を配設することにより、患者用デスクとして使用され、上部収納装置１２２の下方側の天板１０ｂは、主にテレビなどの機器が載置される載置台として使用され、壁面Ｗ側の天板１０ｃは、主に看護師用の作業台として使用され、血圧計などの小型の装置を置き、吸引ビン交換準備といった時に一時的に利用される。
【００３２】
足元側の天板１０ａの左右幅は、椅子が収納できる程度であり、奥行き寸法は、Ａ４用紙を横向きに置き筆記ができる程度大きさで、具体的には２２０ミリメートルから３００ミリメートルであり、患者の移動時に障害にならないように配慮されている。
当然のごとく病室スペースに余裕がある場合は、天板の奥行き寸法を大きくしても構わない。
【００３３】
壁面Ｗ側の天板１０ｃは、天板を貫通する貫通孔１０ｄを備え、該貫通孔１０ｄは、開閉自在な出入口１０１ａを備えた閉塞蓋１０１で閉塞される。
【００３４】
貫通孔１０ｄの下方部の区画壁１３１には、前記配線を通す配線空間１３１ｂが設けられ、配線空間１３１ｂ前面側は、開閉自在なメンテナンスパネル１３１ｃで閉塞される。
【００３５】
壁面Ｗ側の天板１０ｃ側の前記脚体１１には、配線空間１３１ｂと連通する貫通孔の接続開口１１ａが設けられ、室内の壁面Ｗに、接続開口１１ａに臨む雌型接続端子Ｗ１が設けられている。
【００３６】
必要に応じて、間仕切家具１の天板１０の上に設置されるテレビや照明器具やパソコン等の電子機器の電気、通信電波等の配線１０１を、出入口１０１ａより挿入し、配線空間１３１ａを通し、接続開口１１ａより雌型接続端子Ｗ１に接続する。
また、後記する正面側照明装置１６、背面側照明装置１７の電源への配線は、仕切壁１２１に設けられた空洞部１２１ｅを通り、仕切壁１２１の底面に接する天板１０の所定の位置の貫通する通し孔を通って、配線空間１３１ｂを通り、前記雌型接続端子Ｗ１に接続している。
【００３７】
このように、配線は、極力外部に露出しないように間仕切家具１内を通り、埃などの付着を防ぐことができるので、院内感染の防止に役立つ。そしてメンテナンスパネル１３１ｃの開閉により、配線と雌型接続端子Ｗ１が簡単に着脱可能なため、簡単に間仕切家具１を移動することができる。
したがって間仕切家具１は、病室内に固定せず、脚体の下面にアジャスター脚１１１やキャスターを設けて、容易に移動可能な状態で設置するといった使い方ができる。
尚、配線空間の一部を区切って収納部にすることも可能である。その場合メンテナンスパネルは、収納部の扉としても使用される。
【００３８】
実施例では、仕切壁１２１と区画壁１３１は、天板１０によって上下に分割されているが、これは運搬、搬入などが容易になるように上下に分離させるためである。
分離の必要がない場合は、仕切壁１２１と区画壁１３１を上下方向に一体に一つの仕切壁として形成し、前後面の所定高さに前後一対の天板を連結して構成することも可能である。
この場合、天板上方が仕切壁、天板下方が区画壁となる。
又、前後面に天板を連結しない場合は、ベッド高さを基準として、上方部分が仕切壁、下方部分が区画壁となる。
【００３９】
仕切壁１２１は、片方のベッド側に面し、所定の厚みを有する正面視横長長方形の正面板１２１ａと、他方のベッド側に面し、正面板１２１ａに対して前後方向に所定の間隔をあけ配置される、所定の厚みを有し正面板１２１ａと同じ外側寸法の横長長方形の背面板１２１ｂと正面板１２１ａと背面板１２１ｂの左右端部間そして上部端部間をつないで閉塞する縦枠１２１ｃ、１２１ｃ、上枠１２１ｄとから成り、内部に空洞部１２１ｅを形成するように構成されている。
そして、仕切壁１２１は、上部収納装置１２２によってベッドの足元側とベッドの枕元側とに区切られていることになる。
【００４０】
ベッドの足元側の正面板１２１ａの鉛直面には、投光部１４が設けられている。
投光部１４は、正面視縦長長方形の開口の投光口１４１と、投光口１４１にそれぞれ取付けられる、乳白色で光の透過性のある樹脂製の投光口パネル１４ａよりなり、投光口パネル１４ａは、照射される光を和らげるとともに空洞部１２１ｅ内への埃やゴミが入り込むのを防止している。
【００４１】
そして、投光口１４１の上縁より上方の前記空洞部１２１ｅに、蛍光管などの光源１５ａを備えた照明装置１５が設けられ、光源１５ａから発せられる光を投光部１４から照射するとともに、投光部１４の正面から光源１５ａが視認できないように構成されている。
【００４２】
一方、背面板１２１ｂの内面と投光口１４間の空洞部１２１ｅには、投光口１４１に臨む平板状の反射板１６が、やや上向きに起立した状態で設置されており、具体的には、反射板１６の下端部が投光口１４１寄りで上端部が背面板１２１ｂの内面寄りに設置され、光源１５ａの発する光を受け、その光を正面投光口１４１側に反射させる角度に設定されている。
尚、反射板１６の平面部の投光口側面が光の反射率の高い白色または鏡面状に仕上げられ、反射面１６ａとされる。
【００４３】
尚、実施例１において、投光口１４１は前記上部収納装置１２２によってベッドの足元側とベッドの枕元側とに区切られた仕切壁１２１のうち、ベッドの足元側の仕切壁部に、四方縁を残して設置されているが、光の設計に応じて、投光口の大きさ、形状、個数は適宜設定される。
また、正面投光口パネル１４ａの透明度や色や柄の選択は、光の設計に応じて適宜設定される。
【００４４】
このように構成された間仕切家具を、多床室の廊下側のベッド空間に投光口が向くように、他方側が窓側のベッド空間に向くように設置すれば、窓側のベッド空間の明るさが抑えられ、反対に廊下側のベッド空間が明るくなり、窓側と廊下側の明るさのバランスを保つことができる。
【００４５】
次に、仕切壁１２１には、投光口１４の前面を遮蔽できる覆い体（実施例ではカーテン）１７が開閉自在に吊設され、必要に応じて投光口１４からの光を遮ることができる。
【００４６】
覆い体１７は、カーテンレール１７１、クロース１７２を備え、カーテンレール１７１は、投光口１４の上部に左右方向に向けて取り付けられ、カーテンレール１７１に内蔵している吊具１７１ａにクロース１７２が吊下げられて、クロース１７２が左右方向に開閉自在とされている。
そしてカーテンレール１７のクロース１７２の閉じ側には、スイッチ１７１ｂが設置され、クロース１７２を閉じると、吊具１７１ａによってスイッチ１７１ｂが押され、クロース１７２が閉じたことを知らせる電気信号が発信される。
該電気信号は、間仕切内に設置された配線を通って照明装置１５の制御部に送られ、信号を受けた制御部の制御によって照明装置１５の光源１５ａが消灯する。
【００４７】
カーテンレール１７１のクロース１７２の閉じ側スイッチ１７１ｂ付近の所定の位置に、クロース１７２を閉じてスイッチ１７１ｂが押された状態が維持できるように、板バネで形成され、吊具１７１ａの動きを規制するストッパー装置１７３が設けられている。
【００４８】
そしてクロース１７２を開けると、スイッチ１７１ｂが開放され、クロース１７２が開いたことを知らせる電気信号が発信される。該電気信号は、照明装置１５の制御部に送られ、信号を受けた制御部の制御によって照明装置１５の正面光源１５ａが点灯する。
【００４９】
このようにクロース１７の開閉に伴い、電気信号をコントロールして正面光源１５ａの点灯／消灯の制御を行う。
したがって、スイッチ１７１ｂのような機械的な方法を用いずとも、近接スイッチを用いて非接触で電気信号をコントロールする手段もある。
【００５０】
覆い体は、カーテン以外にブラインドや扉を用いてもよく、この場合でも、これらの開閉に伴い電気信号をコントロールする機械式のスイッチや非接触式の近接センサーを設ければよい。
尚、照明装置１５の光源１５ａの点灯／消灯の選択を、覆い体の開閉によるものに加え、リモコン装置や手動スイッチなどを使って強制的に行なう手段を付加するとより使い勝手がよくなる。
【００５１】
間仕切家具1のベッドの足元側となる端部には、間仕切家具1と略同じ高さの仕切パネル１０２が、仕切壁１２１、区画壁１３１と直行するように取付けられ、足元側からの視線を遮っている。
また、仕切パネル１０２と仕切壁１２１のベッドの枕元側となる端部の下部に設置される補強１０３によって、仕切壁の揺動を抑えている。
【００５２】
本発明の第１実施例の間仕切家具１は、上記の如く構成され、通常、病室の大部屋や介護・養護施設の多床室のベッド間に設置し、患者のプライバシー空間を確保する間仕切りとして使用される。
【００５３】
前述の通り、間仕切家具１は、ベッドの長尺寸法と略同じ長さに設定されており、別途、ベッドの足元側にベッドと直行するように、天井に、天井から略床面までの高さの間仕切カーテンが吊下げられ、ベッド周りは間仕切家具１と間仕切カーテンで囲まれ個室風の雰囲気を醸し出すことが可能となる。
【産業上の利用可能性】
【００５４】
以上のように、本発明は、病室の大部屋や介護・養護施設の多床室のベッド間に設置し、患者のプライバシー空間を確保する間仕切装置にかかわるものであり、間仕切機能に加え、照明装置を備え、病室のレイアウトに左右されることなく、心地いい明るいベッド空間を提供できるから、病室の大部屋や介護・養護施設の多床室の患者のプライバシー空間を確保する間仕切りとして広く利用することができる。
【符号の説明】
【００５５】
Ｂ１              廊下側ベッド
Ｂ２              窓側ベッド
Ｗ                壁面
Ｓ                窓
１                間仕切家具
１２              仕切体
１３              区画体
１４              投光口
１５              照明装置
１５ａ            光源
１６              反射板
１７              覆い体
【図１】
0005751921.tif 000002
【図２】
0005751921.tif 000003
【図３】
0005751921.tif 000004
【図４】
0005751921.tif 000005
【図５】
0005751921.tif 000006
【図６】
0005751921.tif 000007
【図７】
0005751921.tif 000008
【図８】
0005751921.tif 000009
【図９】
0005751921.tif 000010
【図１０】
0005751921.tif 000011
【図１１】
0005751921.tif 000012